(57)【要約】【課題】作業員にとっては、特殊な専用工具や複雑な手順を必要とせずに、照明装置の交換や点検を簡便に行うことができるだけでなく、いたずら防止との両立を図る。【解決手段】実施形態による天井照明装置は、エレベータの乗りかごの天井に取り付けられる照明装置であって、かご室の天井１３に取り付けられた照明カバー１６と、照明カバー１６内に着脱可能に取り付けられ、下方に移動させることで照明カバー１６から離脱可能な照明装置２０と、照明カバー１６の四方を密接的に取り囲むように天井１３に取り付けられたケース１８、１８と、を備え、ケース１８は、照明カバー１６に対して相対移動が可能に分割され、この相対移動によって、ケース１８と照明カバー１６との間に照明装置２０を取り外す操作に必要な隙間を形成するようになっている。【選択図】図１
2018070315.tif 000002
【特許請求の範囲】
【請求項１】
エレベータの乗りかごの天井に取り付けられる照明装置であって、
かご室の天井に取り付けられた照明カバーと、
前記照明カバー内に着脱可能に取り付けられ、下方に移動させることで前記照明カバーから離脱可能な照明装置と、
前記照明カバーの四方を密接的に取り囲むように前記天井に取り付けられたケースと、を備え、
前記ケースは、前記照明カバーに対して相対移動が可能に分割され、前記相対移動によって、前記ケースと前記照明カバーとの間に前記照明装置を取り外す操作に必要な隙間を形成するようにしたことを特徴とする乗りかごの天井照明装置。
【請求項２】
前記天井から垂設され前記ケースの移動方向と平行な側面を支持する支持部材に、前記ケースの水平方向の移動を許容する長穴を形成し、前記長穴に挿入される締結部材によって前記ケースを固定するようにしたことを特徴とする請求項１に記載の乗りかごの天井照明装置。
【請求項３】
前記天井から垂設され前記ケースの移動方向と平行な側面を支持する支持部材に外側に折り返された折返し部を形成し、前記ケースの側面には、前記折返し部と重なる内側に折り返された折返し部を形成し、前記支持部材の折返し部と前記ケースの折返し部が重なる段差部に前記ケースの水平方向の移動を許容する長穴を形成し、前記長穴に挿入される締結部材によって前記ケースを固定するようにしたことを特徴とする請求項１に記載の乗りかごの天井照明装置。
【請求項４】
前記照明装置とは反対側で、天井から垂設された支持部材に支軸を介して前記ケースを回動可能に支持し、前記ケースを水平な姿勢に保持したときに前記照明カバーとの間にできる隙間から板状の工具を挿入することにより、前記ケースを開放するようにしたことを特徴とする請求項１に記載の乗りかごの天井照明装置。
【請求項５】
前記天井から操作し前記照明カバーを上下動させるねじ機構を前記照明カバーに設けたことを特徴とする請求項１に記載の乗りかごの天井照明装置。
【請求項６】
前記照明装置を前記照明カバーに着脱可能に保持する手段は、前記照明装置に取り付けられたＶバネと、前記Ｖバネが係合するバネ受けと、からなることを特徴とする請求項１乃至５のいずれかに記載の乗りかごの天井照明装置。
【請求項７】
前記照明装置は、光源を含む照明ユニット全体を交換する形式の照明装置からなることを特徴とする請求項１乃至５のいずれかに記載の乗りかごの天井照明装置。
【発明の詳細な説明】
【技術分野】
【０００１】
本発明の実施形態は、エレベータの乗りかごの天井に設置される天井照明装置に関する。
【背景技術】
【０００２】
エレベータの乗りかごの天井には、かご室内を明るく照らすための照明装置が設置されている。従来の一般的な照明装置は、蛍光灯やＬＥＤランプなどからなる照明灯と、これらの照明灯を囲む照明カバーを備えている。照明装置は、単に、かご室内を明るく照らすだけでなく、かご室内の印象を決める重要な意匠要素でもあるため、従来から様々な形態の照明装置がある。
【０００３】
この種の天井照明装置では、故障したり寿命の尽きた照明灯を交換したり、照明カバー内の清掃といった照明装置の保守作業が容易なことも重要である。天井照明装置の点検、照明灯の交換作業は、作業員が乗りかごの上に乗り込み、天井の点検口を通じて行う場合と、かご室内で行う場合とがある。近年の天井照明装置では、作業の安全性をより重視する傾向から、照明灯の交換作業や点検作業をかご室内で行えるような構造のものが多くなってきている。
【０００４】
かご室内から天井照明装置の保守作業を行う場合、作業員は、脚立に乗って照明カバーを開いて、上を向きながらの無理な姿勢を強いられることがある。従来から、かご室内からの作業によって、簡単にカバーなどを着脱あるいは開閉できるように天井照明装置の改良が行われており、例えば、特許文献１に記載されているものがある。
【先行技術文献】
【特許文献】
【０００５】
【特許文献１】特許第４９２９７７４号公報
【発明の概要】
【発明が解決しようとする課題】
【０００６】
一般に普及している標準型エレベータでは、乗りかごの天井は床面から２ｍ程度であることが多い。背の高い利用者にとっては、手を伸ばせば天井照明装置に触れることが可能である。仮に、天井照明装置のケースなどが第３者に簡単に開けられる構造であると、いたずらされる危険性につながる。
【０００７】
その反面で、特殊な専用工具を使用しなければ照明カバーなどを開けられなくしたり、複雑な手順を必要とすることは、保守作業にとって好ましいことではない。つまり、作業性が良好であることを前提として、いたずら防止を図ることが必要となる。
【０００８】
本発明は、前記従来技術の有する問題点に鑑みなされたものであって、作業員にとっては、特殊な専用工具や複雑な手順を必要とせずに、照明装置の交換や点検を簡便に行うことができるだけでなく、いたずら防止との両立を可能にした乗りかごの天井照明装置を提供することを目的としている。
【課題を解決するための手段】
【０００９】
前記の目的を達成するために、本発明の実施形態に係る乗りかごの天井照明装置は、エレベータの乗りかごの天井に取り付けられる照明装置であって、かご室の天井に取り付けられた照明カバーと、前記照明カバー内に着脱可能に取り付けられ、下方に移動させることで前記照明カバーから離脱可能な照明装置と、前記照明カバーの四方を密接的に取り囲むように前記天井に取り付けられたケースと、を備え、前記ケースは、前記照明カバーに対して相対移動が可能に分割され、前記相対移動によって、前記ケースと前記照明カバーとの間に前記照明装置を取り外す操作に必要な隙間を形成するようにしたことを特徴とするものである。
【図面の簡単な説明】
【００１０】
【図１】本発明の第１実施形態による天井照明装置の配置位置を乗りかごとの関係で模式的に示す斜視図である。
【図２】乗りかご内から第１実施形態による天井照明装置を見た天井見上げ図である。
【図３】図２におけるＡ−Ｂ−Ｃ矢視断面を示す図である。
【図４】図３において、ケースが移動した状態を示す図である。
【図５】図２において、ケースが移動した状態での天井見上げ図である。
【図６】図４において、照明装置を引き下げた状態を示す図である。
【図７】本発明の第２実施形態による天井照明装置を図３と同じ方向から表した図である。
【図８】図７におけるＤ−Ｄ矢視断面を示す図である。
【図９】支持部材とケースが重なり合う段差部に設けられた長穴を示す図である。
【図１０】本発明の第２実施形態による天井照明装置の変形例を図３と同じ方向から表した図である。
【図１１】本発明の第３実施形態による天井照明装置の変形例を図３と同じ方向から表した図である。
【図１２】図１１においてケースが開放された状態を表した図である。
【図１３】本発明の第４実施形態による天井照明装置の変形例を図３と同じ方向から表した図である。
【図１４】図１３において、照明カバーが下がった状態を表した図である。
【発明を実施するための最良の形態】
【００１１】
以下、本発明による乗りかごの天井照明装置の実施形態について、添付の図面を参照しながら説明する。  
（第１実施形態）  
図１は、本発明の第１実施形態による天井照明装置の配置位置を乗りかごとの関係で模式的に示す斜視図である。図２は、乗りかご内から天井照明装置を見た天井見上げ図である。図３は、図２におけるＡ−Ｂ−Ｃ矢視断面を示す図である。
【００１２】
図１、図２において、参照番号１０は、乗りかごを示し、１１は床面、１５は、天井照明装置を示している。乗りかご１０では、外壁を形成する側板１２に囲まれてかご室が構成されている。乗りかご１０の前面側には、かご出入口が形成されている。天井１３には、本実施形態による天井照明装置１５が設置されており、この天井照明装置１５は、天井１３の大部分の面積を占めるようになっている。
【００１３】
天井照明装置１５は、大きく分けると、天井の中央分に取り付けられている照明装置２０と、この照明装置２０の四方を密接的に囲むように配置される２つ一組のケース１８、１８を備えている。照明装置２０は、四角な本体の中に光源のＬＥＤ素子が予め組み込まれたユニットとして構成されており、故障した照明装置２０は、個別に光源を交換する替わりに、ユニットごと交換するようになっている。照明装置２０の下面には、光を拡散透過される透光部２０ａがフランジ状に形成されている。
【００１４】
照明装置２０の外側には、四方を囲むように天井から照明カバー１６が垂設されている。照明カバー１６は、虫や塵埃が入らないように照明装置２０を囲む枠状になっており、照明カバー１６の下端は、照明装置２０を取り付けた状態では、透光部２０ａの上面に当接している。
【００１５】
図３に示されるように、この実施形態の照明装置２０は、Ｖバネを利用した係合保持手段により、天井１３に着脱可能に取り付けられている。係合保持手段は、Ｖバネ２４とバネ受け２５との組み合わせである。Ｖバネ２４は、照明装置２０の側面に、Ｖ字の頂点が下になる向きに取り付けられている。バネ受け２５は、図３では図示が省略されている手前側の照明カバー１６に固定されている。Ｖバネ２４はＶ字形の部分の両側が規制されるようにばね受け２５に係合するようになっている。図３に示されるように、照明装置２０が取付位置にあるときには、Ｖバネ２４のＶ字形の中間部分でバネ受け２５に係合する。Ｖバネ２４は、自身の弾性力によってＶ字形の部分が拡がろうとする状態でばね受け２５に係合するので、照明装置２１を照明カバー１６に保持させることができる。
【００１６】
他方、照明装置２０を取り外す場合には、照明装置２１を手でもって引き下げると、Ｖバネ２４は、Ｖ字形が狭まるように変形させることができるので、バネ受け２５との係合を解除し、照明装置２０を取り外すことができる。
【００１７】
次に、照明装置２０を密接に囲うように配置されるケース１８について説明する。  
図１、図２に示されるように、ケース１８、１８は、照明装置２０の方形輪郭と同じ収納部２６を一対で組み合わせて形成するように２つに分割されている。ケース１８単体では平面視でコ字形のケースである。
【００１８】
図３に示されるように、ケース１８は、上部が開放され、下面と側面とで平らな筐体ケースとして構成されている。ケース１８の材料には、光を透過し、あるいは拡散させる材質のものを用いるようにしてもよい。
【００１９】
このようなケース１８は、天井１３から垂設された支持部材１９に水平方向に移動可能に取り付けられている。図３では、片側の支持部材１９だけが示されているが、ケース１８は両側をそれぞれ支持部材１９によって支持されている。支持部材１９には、水平方向に長くケース１８の移動を許容する長穴２２が複数箇所に形成されている。長穴２２からはボルトなどの締結部材２１がケース１８の側面に締め込まれるようになっている。この場合、締結部材２１には、長穴２２の幅よりも若干大きな頭を有するボルトなどが用いられる。
【００２０】
本実施形態による乗りかごの天井照明装置は、以上のように構成されるものであり、次に、その作用および効果について図３乃至図６を参照しながら説明する。  
図３では、照明装置２０に対して閉じられた位置にあるケース１８が示されている。通常の使用状態では、ケース１８はこの位置にある。このとき、側面１８ａは、照明装置２０の透光部２０ａに隙間なく密着した状態になっており、図２に示されるように、下から天井を見上げると、照明装置２０はケース１８が密接して囲まれているように見える。このようなケース１８と照明装置２０の組み合わせ構造には、天井照明装置にシンプルな高級感を付加する意匠効果もある。
【００２１】
乗りかご１０の床面から天井までの高さが、例えば２ｍ程度であった場合、第３者が手を上に伸ばしてケース１８や照明装置２０に手が届き得るとしても、ケース１８の表面にはケース１８を開ける取っ掛かりのようなものが何もないため、第３者がいたずらしてケース１８を開けるようなことを確実に防止できる。
【００２２】
他方、保守作業員が照明装置２０を点検し、あるいは故障したものを交換する場合には、次のようにして、照明装置２０を簡便に取り出すことができる。  
図３において、ケース１８を固定している締結部材２１を緩める場合、ケース１８の側面と側板１２の間には、隙間があるので、この隙間に手を入れて締結部材２１を緩めることができる。
【００２３】
以後、ケース１８は可動になり、図４に示されるように、ケース１８を照明装置２０とは反対方向に引いて水平にスライドさせる。これにより、ケース１８の側面１８ａと照明装置２０の透光部２０ａの間に図５に示す隙間Ｓができる。
【００２４】
ここで、図５は、ケース１８を移動させた状況を示すかご天井の見上げ図である。一対のケース１８をそれぞれ移動させることで、照明装置２０の両側に隙間Ｓができていることがわかる。  
次いで、図６に示されるように、隙間Ｓから手を入れ、フランジ状に張り出している透光部２０ａをつかんで、照明装置２０を下方に引くようにする。この照明装置２０の下方への移動によって、Ｖバネ２４のＶ字形部分の幅が狭まり、バネ受け２５から外れるので、照明カバー１６から照明装置２０を分離させることが簡単にできる。照明装置２０が故障していれば、新しい照明装置２０に交換する。
【００２５】
新しい照明装置２０を取り付ける場合には、上記とは逆の手順で、照明装置２０を押し上げると、Ｖバネ２４がバネ受け２５に係合するので、照明装置２０を照明カバー１６に対して固定することができる。その後、図４に示す位置までケース１８をスライドさせて照明装置２０に密接させる。締結部材２１を締めれば、ケース１８は固定される。
【００２６】
以上のように、本実施形態によれば、ケース１８をスライドさせて隙間Ｓができない限り、照明装置２０をいじれない構造になっているので、第３者にとっては、動かないようにみえるケース１８があることにより照明装置２０へアクセスしにくい構造になり、保守作業員にとっては、ケース１８をスライドさせることで、照明装置２０の取り外しを簡単に行え、いたずら防止と保守作業性の両立を図ることができる。
【００２７】
（第２実施形態）
次に、本発明による乗りかごの天井照明装置の第２実施形態について、図７乃至図９を参照して説明する。なお、図１乃至図６に示した第１実施形態と同一の構成要素には、同一の参照符号を付してその説明は省略する。  
この第２実施形態は、ケース１８が水平方向に移動可能になっている点は、第１実施形態と同様である。異なる点は、第１実施形態ではケース１８の固定に用いる締結部材２１が下から見上げると見えるのに対して、第２実施形態では見えないようにした構造にある。
【００２８】
図７、図８に示されるように、支持部材１９の下部は、外側に折り返され、ケース１８の側面は内側に折り返され、これらが重なることで、締結部材３０を締着させる段差面３１が形成されている。この段差面３１は、ケース１８の側面よりも内側にあるので、下から天井を見上げたときにケース１８に隠れて見えないようになっている。なお、段差面３１には、図９に示されるように、締結部材３０を緩めたときにケース１８の移動が許容されるように長穴２２が形成されている。
【００２９】
段差面３２に締着される締結部材としては、図７、図８に示すような手探りで工具を使わずに緩められるローレットねじ３０が好ましい。  
また、ローレットねじ３０の替わりに、図１０に示すような六角穴付きボルト３２を用いるようにしてもよい。六角穴付きボルト３２の場合、段差面３１の上の鉛直な面が六角穴付きボルト３２の締結面になっており、六角穴付きボルト３２は水平な姿勢で締結される。先が曲った六角レンチやトルクレンチを工具に用いれば、このような場所にある六角穴付きボルト３２でも容易に緩めたり、締め付けたりすることができる。
【００３０】
以上のような第２実施形態によれば、第１実施形態と同様に、ローレットねじ３０や六角穴付きボルト３２のような締結部材を緩めて、ケース１８をスライドさせない限り、照明装置２０をいじれない構造になっているので、第３者にとっては、照明装置２０へアクセスしにくい構造になっている。他方、保守作業員にとっては、ケース１８をスライドさせることで、照明装置２０の取り外しを簡単に行え、いたずら防止と保守作業性の両立を図ることができる。
【００３１】
さらに、第２実施形態によれば、保守作業性を損なうことなく、ローレットねじ３０や六角穴付きボルト３２のような締結部材がケース１８の裏に隠れて見えないようになっているので、天井の外観の意匠性を高めることができる。
【００３２】
（第３実施形態）
次に、本発明による乗りかごの天井照明装置の第３実施形態について、図１１、図１２を参照して説明する。  
第１実施形態、第２実施形態は、ケース１８が水平に移動可能であったのに対して、第３実施形態は、支点を中心にケース１８を回動可能に構成した実施の形態である。
【００３３】
天井１３から垂設される支持部材３４の先端には、支軸３５が設けられており、ケース１８の照明装置２０とは反対側の端部は、支軸３５を支点にして回動可能に支持されている。ケース１８の姿勢を水平に保持するために、板ばね状の係合部材３６がケース１８側に配置され、受け部材３７が照明ケース１６に取り付けられている。係合部材３６と受け部材３７の配置は逆であってもよい。
【００３４】
図１１に示されるように、ケース１８の側面１８ａと透光部２０ａの端面の間には若干の隙間ｓが形成されている。この隙間ｓは、ケース１８の回動が許容されるようにする隙間であるので、係合部材３６の係合を外す際に、定規のような板状の道具が入るだけの最低限の幅があればよい。
【００３５】
以上のような第３実施形態によれば、保守作業員は、隙間ｓから定規のような板状の道具を差し込み、係合部材３６のＶ形の部分を弾性力に抗して受け部材３７との係合を外すことで、ケース１８を自重により回動させて開放させることができる。その後の照明装置２０の取り外しは、照明装置２０を下に下げてＶバネ２４の係合を外す点で第１実施形態と同様である。
【００３６】
他方、第３者のいたずら対策としては、定規などを隙間ｓから差し込んで、係合を外さないかぎり、ケース１８は開放されない構造になっているので、照明装置２０へのアクセスを確実に防げる構造になっている。
【００３７】
（第４実施形態）
図１３、図１４は、本発明の第４実施形態による天井照明装置を示す。第１実施形態、第２実施形態は、ケース１８が水平に移動可能であり、第３実施形態は、支点を中心にケース１８は回動可能であったが、第４実施形態は、ケース１８の方は固定で、照明カバー３８の方を上下方向に移動可能に構成した実施の形態である。
【００３８】
照明カバー３８を上下に動かす手段として、ボルト４０と、ナット４１、４２を組み合わせている。この第４実施形態の場合、ボルト４０は、天井１３の外側からねじ込まれている。このボルト４０には、照明カバー３８の内側面ではナット４１が、天井１３の外側面ではナット４２が締着されている。したがって、ボルト４０を回すことで、照明カバー３８と一体で照明装置２０の上下方向の位置を調整することができる。
【００３９】
以上のような第４実施形態によれば、保守作業員は、天井１３の上に乗ってスパナを使ってボルト４０を回すことで、照明カバー３８ごと天井照明装置を下げることができる。そして、照明装置２０の透光部２０ａのフランジ状の部分と、カバー１８の側面１８ａとの間に指を掛けられる隙間Ｓができる。その後の照明装置２０の取り外しは、かご室内側で行うが、その手順は照明装置２０を下に下げてＶバネ２４の係合を外す点で第１実施形態と同様である。
【００４０】
他方、第３者のいたずら対策としては、天井１３の上からボルト４０を回さないかぎり、照明装置２０は取り出せる位置まで下がらない構造になっているので、照明装置２０へのアクセスを確実に防げる構造になっている。
【００４１】
以上、本発明に係る乗りかごの天井照明装置について、好適な実施形態を挙げて説明したが、これらの実施形態は、例示として挙げたもので、例えば、照明装置を複数配置することも可能である。明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００４２】
１０…乗りかご、１２…側板、１３…天井、１５…天井照明装置、１６…照明カバー、１８…ケース、１９…支持部材、２０…照明装置、２０ａ…透光部、２４…Ｖバネ、２５…バネ受け、２１…締結部材、２２…長穴、３０…締結部材、３１…段差面、３４…支持部材、３５…支軸、３８…照明カバー、４０…ボルト
【図１】
2018070315.tif 000003
【図２】
2018070315.tif 000004
【図３】
2018070315.tif 000005
【図４】
2018070315.tif 000006
【図５】
2018070315.tif 000007
【図６】
2018070315.tif 000008
【図７】
2018070315.tif 000009
【図８】
2018070315.tif 000010
【図９】
2018070315.tif 000011
【図１０】
2018070315.tif 000012
【図１１】
2018070315.tif 000013
【図１２】
2018070315.tif 000014
【図１３】
2018070315.tif 000015
【図１４】
2018070315.tif 000016
【手続補正書】
【提出日】平成29年9月19日(2017.9.19)
【手続補正１】
【補正対象書類名】明細書
【補正対象項目名】０００９
【補正方法】変更
【補正の内容】
【０００９】
前記の目的を達成するために、本発明の実施形態に係る乗りかごの天井照明装置は、エレベータの乗りかごの天井に取り付けられる照明装置であって、かご室の天井に取り付けられた照明カバーと、前記照明カバー内に着脱可能に取り付けられ、下方に移動させることで前記照明カバーから離脱可能な照明装置と、前記照明装置の四方を密接的に取り囲むように前記天井に取り付けられたケースと、を備え、前記ケースは、前記照明カバーに対して相対移動が可能に分割され、前記相対移動によって、前記ケースと前記照明装置との間に前記照明装置を取り外す操作に必要な隙間を形成するようにしたことを特徴とするものである。
【手続補正２】
【補正対象書類名】特許請求の範囲
【補正対象項目名】請求項１
【補正方法】変更
【補正の内容】
【請求項１】
エレベータの乗りかごの天井に取り付けられる照明装置であって、
かご室の天井に取り付けられた照明カバーと、
前記照明カバー内に着脱可能に取り付けられ、下方に移動させることで前記照明カバーから離脱可能な照明装置と、
前記照明装置の四方を密接的に取り囲むように前記天井に取り付けられたケースと、を備え、
前記ケースは、前記照明カバーに対して相対移動が可能に分割され、前記相対移動によって、前記ケースと前記照明装置との間に前記照明装置を取り外す操作に必要な隙間を形成するようにしたことを特徴とする乗りかごの天井照明装置。